(57)【要約】医療用途又は医薬用途のための挿入ヘッドであり、  ａ）有機組織上に配置することができる下面（Ｕ）を備えている基部（１，２）と、  ｂ）当該基部（１，２）によって移動可能に取り付けられ且つ組織内に挿入することができる挿入手段（５）と、  ｃ）前記基部（１，２）から突出しており且つ第一のハンドル構成部材（１０;１１，１４）と、前記基部（１，２）及び前記第一のハンドル構成部材に対して動かすことができる第二のハンドル構成部材（１２）とを備えているハンドル（１０，１２；１１，１２，１４）と、  ｄ）前記第二のハンドル構成部材（１２）の動きを前記挿入手段（５）の動きに伝える結合部（８，１８）とを備え、  ｅ）前記挿入手段（５）が、前記基部（１，２）に対して、前記挿入手段（５）の自由端が前記基部（１，２）の下面（Ｕ）の手前に位置している保護位置から、前記自由端が前記下面（Ｕ）を超えて突出する挿入位置まで動くことができることを特徴とする挿入ヘッド。【選択図】図１
2009507584.tif 000002
【特許請求の範囲】
【請求項１】
医療用途又は医薬用途のための挿入ヘッドであり、
ａ）有機組織上に配置することができる下面（Ｕ）を備えている基部（１，２）と、
ｂ）当該基部（１，２）によって移動可能に取り付けられ且つ組織内に挿入することができる挿入手段（５）と、
ｃ）前記基部（１，２）から突出しており且つ第一のハンドル構成部材（１０;１１，１４）と、前記基部（１，２）及び前記第一のハンドル構成部材に対して動かすことができる第二のハンドル構成部材（１２）とを備えているハンドル（１０，１２；１１，１２，１４）と、
ｄ）前記第二のハンドル構成部材（１２）の動きを前記挿入手段（５）の動きに伝える結合部（８，１８）とを備え、
ｅ）前記挿入手段（５）が、前記基部（１，２）に対して、前記挿入手段（５）の自由端が前記基部（１，２）の下面（Ｕ）の手前に位置している保護位置から、前記自由端が前記下面（Ｕ）を超えて突出する挿入位置まで動くことができることを特徴とする挿入ヘッド。
【請求項２】
請求項１に記載の挿入ヘッドであり、
前記可動のハンドル構成部材（１２）が、前記基部（１，２）に対して移動せしめられるか又は枢動せしめられることを特徴とする挿入ヘッド。
【請求項３】
請求項１乃至２のうちのいずれか一の項に記載の挿入ヘッドであり、
基部（１，２）及び継手部材（６）が協働して継手を形成しており、前記挿入手段（５）が前記継手部材（６）から突出していることを特徴とする挿入ヘッド。
【請求項４】
請求項１乃至３のうちのいずれか一の項に記載の挿入ヘッドであり、
前記可動のハンドル構成部材（１２）が直線状にガイドされることを特徴とする挿入ヘッド。
【請求項５】
請求項１乃至４乃至のうちのいずれか一の項に記載の挿入ヘッドであり、
前記可動のハンドル構成部材（１２）が、前記基部（１，２）の下面に対して少なくともほぼ平行に動かすことができることを特徴とする挿入ヘッド。
【請求項６】
請求項１乃至５のうちのいずれか一の項に記載の挿入ヘッドであり、
前記ハンドル（１０，１２；１１，１２，１４）が前記基部（１，２）の上面から突出していることを特徴とする挿入ヘッド。
【請求項７】
請求項１乃至６のうちのいずれか一の項に記載の挿入ヘッドであり、
前記ハンドル構成部材（１０，１２；１１，１２，１４）が手の２本の指間に挟むことができ、各指は、前記ハンドル構成部材（１０，１２；１１，１２，１４）のうちの一つに対して押し付けられ、前記第二のハンドル構成部材（１２）が、前記第一のハンドル構成部材（１０；１１，１４）に向かって動かすことができることを特徴とする挿入ヘッド。
【請求項８】
請求項１乃至７のうちのいずれか一の項に記載の挿入ヘッドであり、
前記結合部（８，１８）が、歯による係合好ましくは歯車（８）と歯付きロッド（１８）とによって、前記第二のハンドル構成部材（１２）を挿入手段（５）に結合していることを特徴とする挿入ヘッド。
【請求項９】
請求項８に記載の挿入ヘッドであり、
前記第二のハンドル構成部材（１２）が、当該第二のハンドル構成部材（１２）上に形成されるのが好ましい歯付きロッド（１８）に結合されており、前記挿入手段（５）が、歯付きロッド（１８）と歯による係合状態にある歯車（８）に結合されていることを特徴とする挿入ヘッド。
【請求項１０】
請求項８乃至９のうちのいずれか一の項に記載の挿入ヘッドであり、
前記挿入手段（５）が、回転軸線を中心に枢動せしめることができ且つ歯による係合状態にあって回転軸線を中心に回転させることができる歯車（８）に非回転状態で結合されていることを特徴とする挿入ヘッド。
【請求項１１】
請求項１乃至１０のうちのいずれか一の項に記載の挿入ヘッドであり、
前記ハンドル（１０，１２；１１，１２，１４）は前記基部（１，２）に取り外し可能に結合されており、この結合は、前記第二のハンドル構成部材（１２）が動かされたときに解放されるのが好ましいことを特徴とする挿入ヘッド。
【請求項１２】
請求項１１に記載の挿入ヘッドであり、
前記基部（１，２）上に第一の結合部材（９）が形成されており、前記ハンドル（１０，１２；１１，１２，１４）上に第二の結合部材（１９）が形成されており、前記結合部材（９，１９）が相互に係合して前記結合を形成しており、前記結合部材（９，１９）のうち少なくとも一つは、弾性力によって係合状態から動かすことができることを特徴とする挿入ヘッド。
【請求項１３】
請求項１１乃至１２のうちのいずれか一の項に記載の挿入ヘッドであり、
第一の結合部材（９）と第二の結合部材（１９）とが相互に係合して前記結合を形成しており、前記第二のハンドル構成部材は、移動せしめられたときに前記結合部材（９，１９）のうちの一つに接触し且つ弾性力に抗して前記係合状態から移動することを特徴とする挿入ヘッド。
【請求項１４】
請求項１乃至１３のうちのいずれか一の項に記載の挿入ヘッドであり、前記挿入手段（５）が挿入位置へと枢動させることができることを特徴とする挿入ヘッド。
【請求項１５】
請求項１乃至１４のうちのいずれか一の項に記載の挿入ヘッドであり、
前記挿入手段（５）が、可撓性であり且つ前記挿入手段（５）と共に前記保護位置から前記挿入位置へと移動させることができる注射手段（１５）によって安定化されていることを特徴とする挿入ヘッド。
【請求項１６】
請求項１５に記載の挿入ヘッドであり、
前記挿入手段（５）が前記挿入位置へと動かされるときに、前記注射手段（１５）が前記ハンドル（１０，１２；１１，１２，１４）に結合されていることを特徴とする挿入ヘッド。
【請求項１７】
請求項１５乃至１６のうちのいずれか一の項に記載の挿入ヘッドであり、
前記注射手段（１５）が前記ハンドル（１０，１２；１１，１２，１４）と共に、前記基部（１，２）及び前記挿入手段（５）から取り外すことができることを特徴とする挿入ヘッド。
【請求項１８】
請求項１乃至１７のうちのいずれか一の項に記載の挿入ヘッドであり、
前記基部（１，２）が、前記挿入手段（５）をその保護位置内に収容する受け入れ部を形成していることを特徴とする挿入ヘッド。
【請求項１９】
請求項１乃至１７のうちのいずれか一の項に記載の挿入ヘッドであり、
前記ハンドル（１１，１２，１４）が、前記挿入手段（５）をその保護位置内に収容する受け入れ部（１４）を形成していることを特徴とする挿入ヘッド。
【請求項２０】
請求項１乃至７のうちのいずれか一の項に記載の挿入ヘッドであり、
−前記挿入手段（５）が、回転軸（６）を介して前記基部（１）上に保持されており、
−前記回転軸（６）に対して非同心状に配置されているリンクブロック（４４）が設けられており、
−前記リンクブロック（４４）と協働するリンクガイド（４２）が設けられており、
−前記リンクガイドの第一の部分（４２ａ）の第一の経路（ａ）に沿った前記基部に対する前記第二のハンドル構成部材（１２）の動きが、前記リングガイド（４２）によってガイドされて前記リンクブロック（４４）を前記挿入手段（５）の保護位置に対応する第一の位置から、前記挿入手段（５）の挿入位置に対応する第二の位置へ移動させる、ことを特徴とする挿入ヘッド。
【請求項２１】
請求項２０に記載の挿入ヘッドであり、
前記基部（１）を前記ハンドル（１０，１２）に可逆的に結合する結合手段（１６ｂ）が設けられており、前記ハンドルを前記基部から取り外すために、前記第二のハンドル構成部材が特に、前記挿入位置に配置されている挿入手段（５）の伸長方向に直角な第二の経路（ｂ）に沿って動かすことができ、前記リンクガイド（４２）は、好ましくは前記第二の経路（ｂ）に対応する第二の部分（４２ｂ）を備えていることを特徴とする挿入ヘッド。
【請求項２２】
請求項１乃至２１のうちのいずれか一の項に記載の挿入ヘッドであり、
前記挿入手段（５）が、当該挿入手段（５）を前記保護位置に可逆的に固定する固定構造を付与されていることを特徴とする挿入ヘッド。
【請求項２３】
請求項２２に記載の挿入ヘッドであり、
前記挿入手段が、当該挿入手段と共に動かされるカニューレケース（１７ｂ）を付与されており、当該カニューレケース（１７ｂ）は、前記第二のハンドル構成部材（１２）の移動方向に平行に延びている前記第二のハンドル構成部材（１２）の壁に対向している固定構造（４６）を備えており、当該壁の内面上に設けられた係合部材（４８）が、前記挿入手段（５）がその保護位置にあるときに前記固定構造（４６）と可逆的に係合することを特徴とする挿入ヘッド。
【請求項２４】
請求項１乃至２３のうちのいずれか一の項に記載の挿入ヘッドであり、
前記ハンドル構成部材（１０）及び／又は前記受け入れ部（１４）及び／又は前記第二のハンドル構成部材（１２）に、前記挿入手段（５）を前記保護位置内に収容する固定リンク（５０）が設けられており、前記挿入手段（５）は、前記保護位置で前記固定リンク内にラッチすることができることを特徴とする挿入ヘッド。
【請求項２５】
請求項１乃至２４のうちのいずれか一の項に記載の挿入ヘッドであり、
前記第二のハンドル構成部材（１２）が、前記ハンドル構成部材（１０）内へ十分深く動かすことができ、前記挿入手段（５）を前記保護位置から前記挿入位置へ移動させるプロセスがひとたび完了すると、前記第二のハンドル構成部材（１２）上の制御斜面（５２）が、前記基部（１）を前記ハンドル（１０，１２）に可逆的に結合し且つ係合位置から偏向させる結合部材（１６）の偏向斜面（５４）に当接し、その結果、前記ハンドル及び基部が分離させることができるようになされていることを特徴とする挿入ヘッド。
【請求項２６】
請求項２５に記載の挿入ヘッドであり、
前記挿入手段が、当該挿入手段と共に動かされる保持構造（１７）を付与されており、当該保持構造（１７）はラッチカラー（６０）を備えており、当該ラッチカラー（６０）は、前記第二のハンドル構成部材（１２）が前記第一のハンドル構成部材（１０）に対して動かされたときに、前記注射手段（１５）が再び枢動するのを防止するために、係合部材（４８）とラッチ係合状態になることを特徴とする挿入ヘッド。
【発明の詳細な説明】
【発明の分野】
【０００１】
本発明は、医療用途又は医薬用途のための挿入ヘッドであって、有機組織好ましくは人間の皮膚上に配置することができ且つ当該挿入ヘッドが組織上に配置されると組織内へ貫入するか又は適切には当該挿入ヘッドが組織上に配置されるまでは組織内へ貫入しない挿入手段を備えている挿入ヘッドに関する。当該挿入ヘッドは、特に、医薬の投与のための輸液セットの一部分とすることができる。
【背景技術】
【０００２】
基部と、可撓性のカニューレと、注射針とを備えている挿入ヘッドは、ＤＥ  １９８  ２１  ７２３  Ｃ１によって知られている。カニューレは、基部の下面から突出している。注射針はカニューレを安定化させ、一方、カニューレは、患者の組織内へ挿入される。注射針は、カニューレを安定化させるためにカニューレを貫通して突出し、カニューレは注射針の周囲に添っている。針保護装置が、穿刺傷に対する保護装置として基部に取り外し可能に締結されている。当該注射針を包囲しているカニューレと共に挿入ヘッドの下面から突出している注射針と、特に針保護装置とは、挿入ヘッドの体積及びその包装体積をも著しく大きくする。当該針保護装置は取り外すのも難しい。
【０００３】
ドイツ特許出願第１０  ２００４  ０３９  ４０８．３号の主題は、有機組織上に配置することができる下面を備えた基部と、当該基部によって移動可能に取り付けられ且つ組織内に挿入することができる空間節約型の挿入手段とを備えている挿入ヘッドである。当該挿入手段は、組織内へ挿入されるまで、貯蔵し、搬送し及び操作するために保護位置を呈する。挿入手段は、挿入されるために保護位置から挿入位置へ動かすことができる。枢動動作が好ましい形式の動作として開示されている。挿入手段を動かすことができるために、挿入手段と共に枢動させることができるユーザーのためのハンドルが設けられている。挿入ヘッドは、コンパクトであり且つ針保護装置の取り外しを必要としないので有利である。しかしながら、挿入手段を挿入位置へ動かすためには、ユーザーは、片手で挿入ヘッドを把持しなければならず且つハンドルをもう一方の手で挿入手段と共に枢動させなければならない。
【発明の開示】
【０００４】
本発明の目的は、例えば、ドイツ特許出願第１０  ２００４  ０３９  ４０８．３号の挿入ヘッドに匹敵するが、ハンドルよりも簡単な挿入手段のための一体化された保護位置を備えている挿入ヘッドを提供することである。
【０００５】
本発明が関連するような挿入ヘッドは、有機組織上に配置することができる下面を有する基部と、当該基部によって移動可能に取り付けられ、組織内へ挿入することができ、保護位置から挿入位置へと前記基部に対して動かすことができる挿入手段とを備えている。保護位置においては、少なくとも挿入手段の自由端は基部の下面より手前にある。保護位置においては、挿入手段は、その全長が基部の下面の手前にあることが好ましく且つ完全に遮断され、更に視野から隠れていることが好ましい。好ましい実施形態においては、保護位置における挿入手段は、基部の下面又は接触領域に対して少なくともほぼ平行な方向を向いている。このことは、下面に対して直角に測定して高さが平らな基部の設計にとって有利である。挿入位置においては、自由端は、前記下面を越えて突出しており且つ組織内へ挿入することができる。挿入手段は、曲げに対して抵抗を有するカニューレ又は針とすることができる。挿入手段は、少なくとも組織内では可撓性であるのが好ましい。挿入手段は、特に、挿入手段の材料と周囲組織との間の相互作用により、挿入手段が挿入されたときに低減される曲げ抵抗を有することができる。別の方法として、挿入手段はまた、例えば可撓性のカニューレのように一般的に可撓性であるように形成し且つ組織内へ挿入される際に曲げに対する抵抗を有する注射手段によって安定化させることができる。挿入手段は、挿入方向に長く且つ細いのが好ましい。
【０００６】
挿入位置においては、挿入手段は、ケースの下面から突出しているのが好ましい。しかしながら、組織内へ貫入するために下面を越えて十分に突出している場合には、原理的に、挿入手段の代わりにケースの一方の側面から突出することもできる。当該挿入手段は、好ましくは下面から直接離れ又は下面から皮下へ適用できるように調整される長さだけケースの下面を越えて突出するのが好ましい。筋肉内組織内に適用するためには、挿入手段は相応してより短く又はより長くされる。当該挿入手段は、適用時に組織内へと突出する細長い部分を意味すると理解される。
【０００７】
挿入手段が、その自由端が下面を越えるように枢動した時点で占める位置においては、挿入手段の長手軸線と基部の下面とは、好ましくは５０°未満の鋭角をなす。この角度は、枢動して跳ね出した時点で長手軸線又は挿入手段が基部の下面又は接触領域に対して少なくともほぼ平行に向くように、３０°未満であるのが好ましい。
【０００８】
回転軸線を中心に枢動せしめられる挿入手段の長手軸線は、回転軸線と交差しているのが好ましい。挿入手段の長手軸線が回転軸線と交差せず、むしろ、ある距離のところで横切っている場合には、当該距離は、挿入手段の長さより著しく短いのが好ましい。当該距離は、挿入手段の貫入深さ又は長さのせいぜい半分であるのが好ましい。好ましい実施形態においては、挿入手段の枢動角度は９０°±１０°である。しかしながら、同じく有利な実施形態においては、枢動角はまた、特に、挿入位置において、挿入手段が基部の下面に対して直角ではなく、むしろ鋭角方向を向いている場合には、枢動角はより小さくすることもできるが、これは、少なくとも３０°であるべきである。このような実施形態においては、これに相応して、枢動角は、少なくとも約３０°又は約３０°と約９０°との間の中間値であるのが好ましい。この枢動角は、原理的には９０°を超えることもできる。
【０００９】
本発明に従って、挿入ヘッドはハンドルを備えている。当該ハンドルは、基部から突出しており且つ第一のハンドル構成部材と第二のハンドル構成部材とを備えている。第二のハンドル構成部材は、第一のハンドル構成部材及び基部に対して動かすことができる。当該可動の第二のハンドル構成部材は、当該第二のハンドル構成部材を動かすことによって、挿入手段が挿入位置へ動かされるように、前記挿入手段に結合されている。ハンドルは可動のハンドル構成部材に嵌合されているので、挿入手段は、ハンドルを把持し且つ作動させることによって単独で動かすことができる。ハンドル自体は、可動の第二のハンドル構成部材のための対応支持部を形成している。この意味で、当該対応支持部を形成しているハンドルの部分は、ここでは第一のハンドル構成部材と称されている。第二のハンドル構成部材は、例えば、押しボタンとして形成することができる。同様に好ましい実施形態においては、２つのハンドル構成部材は、例えば、全部で２つの部分からなるハンドルの半体とし、これらを相互に結合してハンドルを形成している。
【００１０】
本発明による挿入器によって自動的に配置するために、挿入ヘッド（好ましくは、そのハンドル）は、保持構造を備えている。当該保持構造は、挿入器の保持手段と保持係合状態にある。ハンドルが、基部に不動状態で結合されているハンドル構成部材と、当該ハンドル構成部材に対して動かすことができるハンドル構成部材とを備えている好ましい場合には、不動のハンドル構成部材は保持構造を形成するのが好ましい。当該保持構造は、ハンドル上又は不動のハンドル構成部材上に特に一体部品として成形によって形成することができ、好ましくは、少なくともハンドル又は前記不動のハンドル構成部材に対して堅固に結合される。
【００１１】
可動のハンドル構成部材は、収容部材を形成しているのが好ましいが、以下においては、挿入ヘッドの特に好ましい実施形態が記載されるときには、可動のハンドル構成部材と称される。しかしながら、原理的には、当該収容部材は、ハンドル構成部材である必要はなく、もっぱら作動部材と挿入手段との間を結合する機能を果たすことができる。
【００１２】
好ましい実施形態においては、可動の第二のハンドル構成部材は、前記基部の下面に対して少なくともほぼ平行に動かすことができる。この動作は、特に直線動作とすることができる。純粋に並進動作をさせるための代替例として、第二のハンドル構成部材は、例えば、枢動できるように取り付けることができる。
【００１３】
第一のハンドル構成部材は基部に対して不動状態に結合されるのが好ましい。しかしながら、原理的には、両方のハンドル構成部材を基部に結合して、これらが相対的に動かすことができるようにすることも考えられる。
【００１４】
可動のハンドル構成部材の動きを挿入手段に伝えるために、堅固な結合部を設けることができる。すなわち、可動のハンドル構成部材と挿入手段とを相互に堅固に結合させることができ、このことは、元々一部品として成形することを意味していると理解することもできる。例えば、挿入手段が枢動できる好ましい場合には、次いで、可動のハンドル構成部材を設けることもできる場合に堅固な結合部がすぐに実現できる。ドイツ特許出願第１０  ２００４  ０３９  ４０８．３号の挿入ヘッドと比較すると、本発明による挿入ヘッドは、依然として以下の利点を示す。すなわち、付加的なハンドル構成部材がユーザーのための対応支持部として機能することができ、枢動させるために適用されなければならない力が基部を介して組織によって吸収される必要はなく、むしろ、この力は、当該付加的なハンドル構成部材を保持しているユーザーによって吸収されるという利点を示す。ユーザーが挿入器特に本発明による挿入器を有している場合には、当該挿入器を使用して挿入ヘッドが挿入手段が挿入される組織上に配置され、当該挿入器が前記力を吸収する。
【００１５】
好ましい実施形態においては、可動のハンドル構成部材及び挿入手段が伝動によって相互に結合されている。このような場合は、ハンドル構成部材の動作が挿入手段の動作に対応している必要はなく、むしろ、これらの２つの動作は、それら自体が各々且つ独立して最適に形成され得る。従って、特に、挿入手段は枢動させることができ、第二のハンドル構成部材は並進させ或いは好ましくは直線的にガイドすることができる。第二のハンドル構成部材が枢動させることもできる場合には、その枢動軸は、挿入手段の枢動軸と異なる軸線とすることができる。当該挿入手段は基部の下面に対して少なくともほぼ平行である回転軸線を中心に枢動させることができることが好ましい（このことは、第二のハンドル構成部材の全ての実施形態に対して当てはまり得る）けれども、枢動可能な第二のハンドル構成部材は、下面に対して少なくともほぼ直角である回転軸線を中心に枢動させることができる。しかしながら、枢動可能なハンドル構成部材の回転軸線が枢動可能な挿入手段の回転軸線から平行に隔置されているときには、伝動もまた有利であり得る。この場合には、第二のハンドル構成部材の枢動角度は、伝動によって小さくし又は好ましくは大きくすることができ、挿入手段に伝動され得る。
【００１６】
伝動による好ましい結合は、歯車と歯付きロッドとからなり、これらは、第二のハンドル構成部材が動かされると、歯によって相互に係合せしめられ且つ相互にかみ合う。歯付きロッドは、第二のハンドル構成部材の歯付きロッドの長手方向の動きが歯車（この場合には挿入手段に係合されている）の回転動作へと伝達されるように、第二のハンドル構成部材に結合されているのが好ましい。適切な細かい歯切り及び／又は歯間分離を仮定すると、第二のハンドル構成部材の比較的短いストロークは、伝達されて歯車の一回転の大部分好ましくは１／４回転に亘る歯車の回転動作とされ得る。可動の第二のハンドル構成部材は、歯付きロッドと一体の部品として形成されるのが好ましい。
【００１７】
好ましい実施形態においては、ハンドルは、基部に取り外し可能に結合されている。この結合は、第二のハンドル構成部材が動かされたとき、すなわち、挿入手段が挿入位置へと動かされたときに、自動的に解除されるのが好ましい。しかしながら、別の方法として、原理的には、ハンドル又は基部を、付加的な可動の構成部材（この部材は、作動せしめられたときに基部に対する結合を解除する）と嵌合させることも同様に考えられる。ハンドルと基部との間の結合は、純粋な摩擦嵌合によって形成することができるが、もっぱら、ポジティブ嵌合又はポジティブ嵌合と摩擦嵌合との組み合わせに基づくのがより好ましい。結合を形成するためには、基部とハンドル好ましくはハンドルの第一のハンドル構成部材とが、結合が存在するときに相互に係合状態となる少なくとも１つの結合部材に嵌合される。結合の解除を可能にするためには、結合部材のうちの少なくとも１つが、復元弾性力に抗して係合状態から動かすことができることが好ましい。好ましい実施形態においては、可動の第二のハンドル構成部材は、挿入手段を挿入位置へ移動させる機能を果たすばかりでなく、結合を解除する機能をも果たす。結合を解除する機能は、結合部材のうちの一つを、結合部材が移動する際に、当該結合部材と接触すること好ましくは摺動接触することによって弾性力に抗して係合状態から移動させる（好ましくは弾性的に曲げて離す）第二のハンドル構成部材によってなされる。好適性は低いけれども、第一のハンドル構成部材は、代替的に、基部によって一部品として形成することができ、又は基部に取り外し不可能に締結することができる。しかしながら、このような実施形態においては、第一のハンドル構成部材は出来るだけ短くすべきである。
【００１８】
保護位置においては、少なくとも挿入手段の自由端好ましくは挿入手段全体が、基部に収容されるかハンドルによって形成されている受け入れ部内に収容される。ハンドルが受け入れ部を形成している場合にはハンドルは基部に結合され、取り外し可能である好ましい場合には、基部はハンドルによって形成されている受け入れ部内に収容されている部分的な受け入れ部を形成することができる。
【００１９】
挿入手段が本質的に可撓性である場合、すなわち、組織との相互作用によってのみ可撓性にされる訳ではない場合には、当該挿入手段は、挿入手段が組織内へ挿入されたときに歪むのを防止するために、注射手段によって形成されるのが好ましい。挿入手段は、特に、細い注射針として形成することができる。挿入手段は、ひとたび組織内に挿入されると取り外されるのが有利である。このような注射手段は、ハンドルを使用して取り外されることも好ましい。注射手段が保護位置において未だハンドルに結合されていない好ましい場合には、これは、挿入位置へ動かされるときに、ハンドルに自動的に結合されることが好ましい。この目的のために、挿入手段の自由端から離れる方向を向いている端部に結合部材好ましくはスナップ嵌合部材を設けることができ、この場合に、前記結合部材は、挿入位置への動きが完了すると同時に又はその直前にハンドルの対応結合部材と結合係合状態となる。当該結合は、原理的には純粋な摩擦嵌合とすることもできるが、少なくともポジティブ嵌合からなるのが好ましい。注射手段の結合部材は、特に、対応結合部材とスナップ式の結合を形成することができる。ハンドルが基部から取り外される方向に対する簡単なヒンジでさえ、原理的には、ポジティブ嵌合による結合にとって十分である。従って、弾性的なスナップ係合は必ずしも必要とされない。
【００２０】
挿入ヘッドは、医療用途又は化粧品を含む医薬用途のために提供される。基部の少なくとも下面は、組織適合性を有するように形成される。挿入ヘッドは、注入のために管理投与することができるインスリン、鎮痛薬又はその他の医薬を管理投与するための輸液セットの一部分であるのが好ましい。医薬又は原理的には管理投与できるその他の物質を管理投与する代わりに、挿入ヘッドはまた、診断目的の機能を果たすこともできる。このような用途においては、挿入ヘッドは、例えば体液内のグルコース濃度又は患者の健康状態に関連するか又は関連し得るその他の肉体的及び／又は生化学的パラメータを測定するためのセンサーのための支持部材として機能することができる。診断目的のためには、挿入ヘッドは、潅流器具として形成することもできる。このような実施形態においては、ひとたび挿入手段が組織内に挿入されると、濯ぎ液は、挿入手段内を流れ、１以上の関連する成分が富化された濯ぎ液を分析するために、組織内を流れるときに体液の１以上の特別な成分を吸収する。最後に、挿入ヘッドは、物質を管理投与するための器具と診断手段との組み合わせを形成することができる。挿入手段は、特に医薬又は濯ぎ液とすることができる物質を供給するために又は体液又は体液の１つ又は１つ以上の特別な成分を排出させるために形成することができ、このような用途においては、挿入手段は少なくとも１つの流動断面を形成している。挿入手段は、物質を供給したり排出させたり又はそれらの組み合わせ機能を果たすことができる。挿入ヘッドが測定装置としてのみ形成されている場合には、次いで、これは、単にセンサー又はセンサーの一部を配置する機能を果たすことができ、すなわち、純粋に機械的な導入手段として機能することができる。測定装置としての一つの展開においては、挿入ヘッドは、機械的な導入に加えて、制御信号をセンサーに送信し且つ／又はセンサーからの測定信号を送信する機能を果たすこともできる。最後に、組み合わせられた用途においては、挿入手段は、物質を搬送するための少なくとも１つの流通断面、すなわち、流通導管及び少なくとも１つの信号導管を有することができる。信号導管は、制御信号を無線で受信し且つ／又は測定信号を無線で送信するセンサーが設けられている場合には、信号導管は省くことができる。最後に、挿入手段はまた、別個に突出する２以上の挿入部分を含むことができる。従って、第一の挿入部分は組織内へ物質を搬送する機能を果たすことができ、もう一つの挿入部分は、組織から物質を搬送し又は単にセンサー又はセンサーの一部を組織内へ導入する機能を果たすことができる。各々が流通部分を含んでいる多数の挿入部分を使用すると、同じ挿入ヘッドを使用して種々の物質を管理投与することもできる。このことはまた、共通部分内に多数の別個の流通断面を形成する挿入手段によって実現することもできる。
【００２１】
本発明の別の好ましい実施形態に従って、挿入ヘッドには、回転軸線又は枢動軸線を介して基部上に保持される挿入手段を設けることができる。回転軸線に関して、好ましくは回転軸線とは別個に非同心状に配置されるリングブロックを設けることができ、この場合には、リンクブロックと協働するリンクガイドが設けられる。リンクガイドの第一の部分の第一の経路に沿った基部に対する第二のハンドル構成部材の動作によって、リングブロックが、挿入手段又は針の保護位置に対応する第一の位置から、挿入手段の挿入位置に対応する第二の位置へと移動せしめられる。この実施形態は、挿入手段が受け入れ部から枢動せしめられるときに挿入手段のための比較的複雑なガイド経路を可能にし、この場合には、これと同時に、第二のハンドル構成部材を介して比較的小さな力がかけられなければならず且つ当該機構の個々の部分間の引っかかりが極めて起こり難い。
【００２２】
本発明の別の有利な実施形態に従って、基部をハンドルに可逆的に結合する結合部材を設けることができ、この場合には、ハンドルを基部から取り外すために、ハンドルは、挿入位置に配置されている挿入手段の伸長方向に直角な第二の経路に沿って動かすことができ、リンクガイドは、当該第二の経路に対応する第二の部分を備えていて、ハンドルが取り外されたときに、挿入手段がそれと共に動かないようにすることができる。すなわち、リンクガイドを適切に実施することによって、注射針及び挿入手段が患者の体内へ注射された後に、ハンドルを、有機組織と平行な力によって歪ませることなく、体表面及び／又はフラップ（以下においては、膏剤とも称される）に対して平行に動かすことができる。このようにして、トリガー動作及び分離動作の両方を行うために、同じ構成部品（この場合には、特に第二のハンドル構成部材）を作動させることによって、ハンドル領域を基部から有利に分離することができ、従って、注射針を挿入手段から有利に分離することができる。
【００２３】
リングブロックがリンクガイド全体を既に通過している直接的な連続動作でトリガー動作及び分離動作を行うことも可能であり、これは、単独で、カニューレ又は注射針と結合した挿入手段を枢動させ、これと同時に又はハンドル構成部材を分離させた直後であって、針を備えているカニューレが適用される前に、この場合には、本発明による挿入ヘッドが取り外され且つ患者の体内又は体表面上に留まっている部分と取り外される部分との間に、容易に壊すことができる粘着部のみが残る。
【００２４】
挿入手段は、保護位置において挿入手段を可逆的に歪ませる固定構造を付与されるのが有利である。従って、例えば、第一のハンドル構成部材は、第二のハンドル構成部材上の相補的なラッチユニットと可逆的に係合状態とされることができるラッチカラーによって実施化できる。抵抗に打ち勝つと、第一のハンドル構成部材は第二のハンドル構成部材に対して移動させることができ、カニューレは、注射針と共に適用位置へと動かし又は枢動させることができる。
【００２５】
挿入手段はまた、当該挿入手段と共に動かされるカニューレケースを付与されることができるのが有利であり、この場合、カニューレケースは固定構造を備えている。当該固定構造は、第二のハンドル構成部材の移動方向と平行に延びている第二のハンドル構成部材の壁に対向しているべきである。このことは、挿入手段が保護位置にあるときに、当該壁の内面上の係合部材が前記固定構造と可逆的に係合状態となることを可能にする。これらの手段によって、ひとたび固定構造及び係合部材によって提供される初期の抵抗に打ち勝つと、第二のハンドル構成部材を使用して、所望通りに注射針と結合された挿入手段を枢動させることができるように、注射針と係合された挿入手段を受け入れ部内で保護位置に保持することができる。
【００２６】
別の好ましい実施形態によれば、本発明による挿入ヘッドの第一のハンドル構成部材内に固定リンクを設けることが可能である。当該第一のハンドル部材は、挿入手段を注射針と一緒に又は注射針を単独で保護位置に収容し、この場合には、受け入れ部内の保護位置において、挿入手段を適当な場合には注射針と結合させて又は注射針単独で前記固定リンク内にラッチすることができる。注射針の先端は、使用後に枢動させて戻したときに、次いで固定カラーの後方の固定キャビティ内にラッチするために、注射針に結合した挿入手段のばね弾性により、弾性的に変形させ且つ／又は固定リンクに沿って横方向に保護位置及び／又は受け入れ部内へ偏倚させることができる。この位置では、次いで、注射針は、挿入手段と結合させて保護位置内に固定保持される。当該固定リンクはまた、受け入れ部内に又は第二のハンドル構成部材内及び／又は種々の部品上の部分内に設けることもできる。
【００２７】
別の好ましい実施形態によれば、第二のハンドル構成部材は、第一のハンドル構成部材内の十分深くまで移動せしめられ、ひとたび挿入手段を保護位置から挿入位置へと移動させるプロセスが完了すると、結合手段をその係合位置から偏向させてハンドルと基部とが分離できるようにするために、当該第二のハンドル構成部材上の制御斜面が、基部をハンドルに対して可逆的に結合している結合部材上の偏向斜面に抗して移動することができる。特にリンクガイドの第二の経路と結合されたこの実施形態は、特に、本発明による挿入ヘッドを、患者の組織に負荷をかけることなく注射機能から薬剤を供給するための供給機能へと有利に移行させることができる。
【００２８】
基部は、回転又は枢動できるようにカニューレケースに結合され、針ホルダは、回転又は枢動できるように第二の又は第一のハンドル部材に結合されるのが有利であり、この場合、２つの回転及び／又は枢動機構が共通の中心及び／又は共通の軸線を示すことが好ましい。
【００２９】
従って、本発明によれば、汚染された注射手段及び／又は注射針を枢動させて第二のハンドル構成部材内へ再び戻すことが可能である。
好ましい特徴はまた、従属項及び従属項の組み合わせにおいても開示されている。
【好ましい実施形態の説明】
【００３０】
以下、本発明の例示的な実施形態を図面に基づいて説明する。例示的な実施形態によって開示されている特徴は、各々、個々に及びこれらの特徴の組み合わせによって、特許請求の範囲の主題及び上記した実施形態をも発揮させることが有利である。
【００３１】
以下においては、同一か又は少なくとも機能的に同一の部品が、同一又は相当する参照符号を使用して特定されており、その結果、ほとんどの場合に説明の繰り返しを省略することができる。個々の実施形態の部分は、大部分が交換可能であり、すなわち相互に組み合わせることができる。本発明のその他の特徴、目的及び利点は、以下に説明する実施形態によってもたらされる。
【００３２】
図１は、第一の例示的な実施形態を長手断面で示している。当該挿入ヘッドは基部を備えており、当該基部は、プラスチックによって一部品として成形されている収容部分又は受け入れ部１と平らな部分２とを備えている。基部１，２の下面Ｕは有機組織上に配置することができる。挿入ヘッドはまた、第一のハンドル構成部材１０と第二のハンドル構成部材１２とを含んでいる二部品からなるハンドルを備えている。ハンドル構成部材１０は基部に対して不動であるが取り外し可能に結合されている。ハンドル構成部材１２は、ハンドル構成部材１０上に移動可能に保持されており、ハンドル１０及び基部１，２に対して直線状に移動させることができる。ハンドル構成部材１２の動作軸線は、基部１，２の下面Ｕに対して平行に向いている。当該動作の方向は、ハンドル構成部材１２の上面に矢印で示されている。
【００３３】
基部１，２は、挿入手段５を、下面Ｕに対して平行な回転軸線を中心に枢動できるように取り付けている。挿入手段５は細長い。例示的な実施形態においては、挿入手段５は可撓性のカニューレとして形成されている。挿入手段５を貫通して突出している注射手段１５は、その周囲に適合している挿入手段５と共に、皮膚面を通って皮下組織内へ注射し且つ挿入手段５を挿入する十分な曲げ抵抗を有している細い針として形成されている。好ましい実施形態においては、挿入ヘッドを組織上好ましくは皮膚面上に固定するために、下面Ｕに接着パッドが取り付けられている。
【００３４】
結合軸線としての回転軸線によって回転継手の軸を形成している継手部材６は、挿入手段５及び当該挿入手段５と共に注射手段１５が枢動できることを確保している。基部１，２は、ソケット形態又は適切な場合には開放軸受け穴形態でもある回転継手の他方の継手部材を形成している。当該継手の回転軸線上には、外周が歯切りされている歯車８が継手部材６の２つの側面の各々の上に配置されており且つ例えば一部品として成形された継手部材６に回転不能に結合されている。２つの歯車８のうちの１つを図１に見ることができる。他方の歯車は、継手部材６の反対側に配置されており、基部１，２の受け入れ部１内に隠れている。注射手段１５は、継手部材６を貫通して突出している。例えばインスリンのような薬液のための供給装置７が継手部材６に結合されている。供給装置７は、挿入手段５に対して大まかには直角に継手部材６から突出している。供給装置７と結合される継手部材６、歯車８、挿入手段５及び注射手段１５は、継手部材６及び歯車８の回転動作及び上記したその他の構成部材の枢動動作に関しては一つのユニットを形成している。
【００３５】
可動のハンドル構成部材１２には２つの歯付きロッド１８が設けられており、これらの歯付きロッド１８は、各々、歯車８のうちの１つと歯によってかみ合っている。これら２つの歯付きロッド１８のうちの隠れている歯車８と協働しているロッドのみが見えている。同一の歯付きロッド１８が、見えている歯車８と協働する。ハンドル構成部材１２が方向を示す矢印によって示されている方向に移動せしめられる場合には、この動作中に、第一のハンドル構成部材１０はハンドル構成部材１２をガイドし、２つの歯付きロッド１８が２つの歯車８とかみ合って、ハンドル構成部材１２の移動が伝動されて、継手部材６の回転動作並びに挿入手段５、注射手段１５及び供給装置７の枢動動作とされる。
【００３６】
当該枢動動作によって、挿入手段５が、図１に示されている保護位置から挿入位置へと移動せしめられる。保護位置においては、挿入手段５及び注射手段１５は、基部１，２の下面Ｕに少なくともほぼ平行な方向を向いている。継手部材６を越えて同じ方向へ突出している挿入手段５及び注射手段１５の部分は、下面Ｕ以外は収容部又は受け入れ部１によって包囲されている中空空間内の共通の保護位置内に収容されている。挿入手段５を保護位置に配置させることによって、ユーザーが注射手段１５で自分を傷つけ得ないこと並びにこれと逆に挿入手段５及び注射手段１５が不注意による操作によって損傷を受け得ないことが確保される。受け入れ部１はまた、覆いをも形成していて、ユーザーが挿入ヘッドの上面から注射手段１５を見ることができず且つ横方向の視野角から見ることができないようにされているのが好ましい。下面に取り付けられるのが好ましい接着パッドに、挿入手段５及び注射手段１５のための通過用のスリットが設けられている。
【００３７】
歯付きロッド１８は、各々、ハンドル構成部材１２の横部分から移動方向へ突出している２つの曲げ抵抗を有する舌状部の下面Ｕに対向している下面上に形成されている。歯付きロッド１８を形成している２つの舌状部に加えて、少なくとも１つの他の舌状部が、ハンドル構成部材１２の横方向部分から移動方向へ突出しており、これはハンドル構成部材１０によって形成されているガイド上で可動のハンドル構成部材１２を直線的にガイドするように機能する。
【００３８】
挿入手段５を体組織内を皮膚下へと又は適切な場合には単に皮膚内へ挿入するために、ユーザーは、挿入ヘッドのハンドルを、親指と人差し指との間に挟む。ハンドル構成部材１０及び１２には、各々、相応する形状の横方向の凹みが設けられている。ハンドル構成部材１０及び１２を相互に押すことによって、可動のハンドル構成部材１２が、第一のハンドル構成部材１０によって形成されているストッパまで移動せしめられ且つ当該ストッパに対して押し付けられる。この動作中に、２つの歯付きロッド１８が歯車８とかみ合い、その結果、ハンドル構成部材１２の並進動作が継手部材６の回転動作、従って、挿入手段５及び注射手段１５の枢動動作へと伝動される。ハンドル構成部材１２の経路、歯車８の直径及び歯切りの細かさは、数ミリメートル、例えば４又は５ｍｍだけハンドル構成部材１２が移動することによって、少なくともほぼ９０°の枢動角度だけ挿入位置へと挿入手段５及び注射手段１５の枢動運動が生じ、当該挿入位置において、挿入手段５及び注射手段１５が基部１，２の下面Ｕを越えて大まかにはほぼ直角に突出するように選択される。
【００３９】
図２は、挿入手段５及び注射手段１５が挿入位置に配置されている挿入ヘッドを示している。
枢動動作の終了時には、注射手段１５はハンドル１０，１２に結合される。例示的な実施形態においては、可動のハンドル構成部材１２に結合されている。保護位置（図１）においては、注射手段１５とハンドル１０，１２との間に接触が存在していて、注射手段１５は、挿入手段５と共に自由に枢動することができるようになされている。結合を達成するために、継手部材１６が注射手段１５の端部上に配置されている（例示的な実施形態においては締結されている）。挿入位置においては、注射手段１５の端部は基端にあり、注射手段１５は継手部材６を越えて突出している。継手部材１６は、１又は２の突出フィンを備えており、当該フィンによって、注射手段１５の長手方向に関して、ハンドル構成部材１２の対応する結合部材の後方に噛み込む。可動のハンドル構成部材１２の対応する結合部材は、相応して後方に噛み込むことが可能であるカラー領域として形成されている。
【００４０】
挿入ヘッドを組織表面に配置し且つ挿入手段５を組織内へ挿入するために、ユーザーは、ハンドル１０，１２によって挿入ヘッドを保持し且つ組織表面に向かって動かし、注射手段１５を組織表面好ましくは人間の皮膚を貫通させ且つ皮膚内へ貫入させる。周囲に適合している挿入手段５は、注射手段１５と共に、挿入ヘッドの下面Ｕが好ましくは接着パッドによって皮膚の表面上に配置され且つ接着によって固定されるまで貫入される。薬剤を管理投与するために、注射手段１５が取り外され、供給装置７が供給装置７と協働するコネクタを介して薬剤貯蔵器好ましくは薬剤ポンプに結合される。このことを可能にするために、事前にハンドル１０，１２が基部１，２から取り外される。ハンドル構成部材１０と１２とが相互に押されるか又は一緒に移動されるときにのみ、ハンドルは取り外すことができる。しかしながら、ハンドル構成部材１２が動かされると結合が自動的に解除され、その結果、ハンドル１０，１２は、基端方向すなわち図２において上方へ引き出すことができる。この直線的な引き出し動作中に、注射手段１５は挿入手段５及び継手部材６内を摺動し、従って、挿入手段５の流動断面が露出され、ひとたび注射手段１５が引き出されると、流動断面もまた同時に供給装置７に対して流体結合状態で結合される。この点に関しては、挿入ヘッドは、例えば、ＤＥ  １９８  ２１  ７２３  Ｃ１及びＤＥ  １０  ２００４  ０３９  ４０８．３に記載されているようにして実施化することができる。
【００４１】
図３及び４は、相互に分離することができる挿入ヘッドの２つの部分、すなわち、挿入手段５を備えている基部１，２と、注射手段１５を備えているハンドル１０，１２とを、挿入手段５の長手軸線と注射手段１５の長手軸線とが相互に同面である相互に整合された位置で示している。図３においては、基部１，２内のキャビティ３もまた見ることができる。前記２つの部分が結合され且つハンドル構成部材１２が動かされると、２つの歯付きロッド１８のうちの一方が前記キャビティ３内へと引っ込み且つキャビティ３内に配置されている歯車８とかみ合う。キャビティ３はスリット形状とされている。ハンドル１０，１２の結合部材１９もまた見ることができ、結合部材１９は、基部１，２の対応結合部材に対してポジティブ嵌合状態で係合し、従って、ハンドル１０，１２を基部１，２上に保持し、ハンドル１０，１２と基部１，２との接触領域と組み合わせられて基部１，２に対してハンドル１０，１２を固定している。結合部材１９は、弾性フラップ１３から植え込みボルトのように突出しており且つ末端領域でハンドル構成部材１０から基部１，２の下面Ｕに平行な向きに突出しており、結合されると、基部１，２の受け入れ部、例えば結合部材１９と一致した形状の穴内へ突出し、その結果、結合が存在するときにハンドル１０，１２の注射部分１５の長手方向への動きが阻止される。この結合を解除するためには、ハンドル構成部材１２が動かされたときに、可動のハンドル構成部材１２の横方向部分から突出している別の舌状部（図示せず）が、基部１，２と結合部材１９を担持しているフラップ１３との間を移動し、フラップ１３を、基部１，２から若干離れるが結合部材１９と対応結合部材との間のポジティブ嵌合を解除するのに十分な量だけ曲げ、注射手段１５を備えているハンドル１０，１２が基部１，２から長手方向に引き抜くことができる。
【００４２】
同じく、図５及び６は、相互に分離された挿入ヘッドの部分を、図１乃至４においては反対方向を向いていた後面からの視野で示している。この図においては、基部１，２の対応結合部材９は、特に図６において見ることができ、当該対応結合部材９は、結合されたとき、すなわち、結合部材１９と係合したときに、ハンドル１０，１２を基部１，２上に保持する。
【００４３】
図４及び６に個々に示されている基部１，２（挿入手段５のための及び協働して枢動ユニットを形成している部分６，７及び８のための支持部である）は、組織の表面にとどまったままであり、この意味で保持部分である。これと対照的に、注射手段１５のための支持部として機能するハンドル１０，１２は、再び注射手段１５から取り除かれ又は適当な場合には取り外され且つ注射手段１５が取り除かれている間に別の用途へと供給される。従って、保持されている部分１〜９は、平らにすることができて衣類の下に装着されたときに煩わしくないので有利である。挿入手段５の可撓性は、挿入されたときに煩わしいと感じないが薬剤が供給されていることを安全に確保するのに十分な安定状態のままであるようになされている。
【００４４】
ハンドル１０，１２はまた、挿入手段が挿入手段５のように本質的に可撓性でなく且つむしろ外部から安定させることなく注射するのに十分な曲げ抵抗を有している挿入ヘッドの実施形態において使用することもできる。このような実施形態においては、付加的な注射手段１５は省略することができる。このような実施形態においては、ハンドル１０，１２は、もっぱら挿入ヘッドを操作する機能を果たし、注射手段１５を安定化するための支持部材として機能しない。このような形態に改造された挿入手段５は、特に、中空断面を有する注射カニューレとして又は中実な断面と１以上の外周溝を有している注射針として形成することができ、これは、組織との相互作用により、挿入された後により可撓性になる。
【００４５】
図７乃至１０は、挿入ヘッドの第二の例示的な実施形態を示している。以下に説明する相違点を除いては、当該第二の実施形態の挿入ヘッドは第一の例示的な実施形態の挿入ヘッドに対応している。従って、例として、第一の例示的な実施形態の挿入ヘッドに取り付けることができるような下面Ｕに締結されている接着パッドが示されている。
【００４６】
受け入れ部１及び第一のハンドル構成部材１１は、第一の例示的な実施形態と比較して変形されている。第一の例示的な実施形態とは異なり、挿入手段５及び注射手段１５は、受け入れ部１内に単に収容されている。受け入れ部１は、短い部分の上方の収容部分によって形成されている。第二の例示的な実施形態においては、ハンドル、より特別にはハンドル構成部材１１は、挿入手段５及び注射手段１５のための受け入れ部１４を形成している。受け入れ部１には、横方向にスリット形状のキャビティ４が設けられている。当該キャビティ４は、下面Ｕに向かって開口しており、保護位置において、当該キャビティを介して挿入手段５及び注射手段１５が受け入れ部１から突出している。受け入れ部１は受け入れ部１４内に収容されている。受け入れ部１４は、下面Ｕに向かって開口しているが、別の形態においては、挿入手段５及び注射手段１５を好ましくは不透明に包囲する。
【００４７】
挿入手段５及び注射手段１５を保護位置から挿入位置へ枢動させるためには、ユーザーは、第一の例示的な実施形態に基づいて説明した手の動作を行う。すなわち、ユーザーは、可動のハンドル構成部材１２を改造されたハンドル構成部材１１に対して押し付ける。歯によるかみ合い係合が存在する場合には、挿入手段５及び注射手段１５は、キャビティ４内で、受け入れ部１特に受け入れ部１４から挿入位置へと枢動する。
【００４８】
図８は、挿入手段５及び注射手段１５が挿入位置に配置された状態の第二の例示的な実施形態の挿入ヘッドを示している。
図９及び１０は、第二の例示的な実施形態に関して、第一の例示的な実施形態の図３及び４に対応している。しかしながら、図１０における視野によってとりわけ示されているように、第二の例示的な実施形態の基部１，２は、第一の例示的な実施形態の基部１，２と比較して、有利に短くされている。なぜならば、保護位置において、挿入手段５及び注射手段１５のための保護機能を引き受けるのは、もはや基部１，２ではなく、ハンドル１１，１２であるからである。
【００４９】
図１１は、第一の例示的な実施形態の挿入ヘッドと、当該挿入ヘッドを組織上に配置するように機能する挿入器とからなる第一の例示的な実施形態の装置を示している。挿入ヘッドを位置決めするときに、ユーザーは、指と指との間に挿入ヘッドを挟む必要がないようになされている。特に、ユーザーは、挿入手段５が挿入位置へ移動せしめられるときに、ハンドルによって挿入ヘッドを保持しない。挿入ヘッドのこの動作は、挿入器の助けによって行われる。従って、ユーザーは、穿刺傷しないようにより確実に保護され、挿入手段５及び挿入手段１５は、不注意な操作による挿入器の損傷からより確実に保護される。
【００５０】
挿入器は、基部を備えているスリーブ部として形成されており且つ外から見たときにほぼカップ形状を呈している挿入器ケース２０を備えている。挿入器ケース２０は、保持手段と挿入ヘッドのための駆動装置とを収容している。前記保持手段は、挿入ヘッドを、挿入器ケース２０に対して、図１１に示されている初期位置に保持している例えば板ばねのような保持ばねを備えている。保持係合状態においては、保持ばねは、ハンドル１０，１２上に形成され且つ図１，２，３及び５において見ることができる保持構造１７を裏面に保持している。当該保持係合は、前記保持ばねの復元弾性力に抗して解除することができる。
【００５１】
駆動装置は、前進部材２２を備えており、当該前進部材２２は、前進方向Ｖの方向或いはそれと反対の方向に直線的に動くことができるように挿入器ケース２０内に配置されている。前進方向Ｖは、挿入器ケース２０の中心長手軸線と一致している。駆動装置はまた、前進部材２２に対して前記前進方向Ｖに作用する力発生器２３をも備えている。力発生器２３は、継手内に相互に結合されている２対の脚部２４を備えており、当該継手内においては、２対の脚部２４は挿入器ケース２０の中心長手軸線に対して対称的に、すなわち前進方向Ｖに対して対称的に配置されている。当該脚部の対の各々は、挿入器ケース２０に対して固定されている回転継手２５において垂下されている。脚部の各対の２つの脚部２４は、自由な回転継手２６において相互に回転可能に結合されている。固定された継手２５と反対側を向いている脚部２４は、各々、回転継手２７内の前進部材２２にも結合されている。ばね（図示せず）又は適切な場合には１つのばねのみが、この脚部継手による前進部材構造を前進方向Ｖ方向に緊張させている。脚部２４と継手２５，２６，２７との構造は前進部材２２をガイドし、更に又はその代わりに、挿入器ケース２０の内側面領域は前進部材２２をガイドすることができる。挿入器ケース２０と遮断係合状態にある遮断部材２９もまた設けられており、当該遮断係合は、前進部材２２の前進動作を阻止している。遮断部材２９は、挿入器ケース２０によって形成されている外装構造との間又は同じく前進方向Ｖに関して固定結合されている別の構造との間に遮断係合を形成することができる。当該遮断係合は、押しボタントリガー部材２８を作動させることによって解除することができる。
【００５２】
挿入器はまた、前進方向Ｖに或いはそれと反対の方向に動くことができるように挿入器ケース２０に結合されている作動部材２１をも備えている。作動部材２１は、挿入器ケース２０に対するブシュを形成していて、全体として、ケース部分２０及び２１を含む二部分からなる入れ子式の挿入器ケースがもたらされるようになされている。しかしながら、その機能に関して区別するために、ケース部分２１は、作動部材と称され続けるであろう。作動部材２１は挿入器の下面Ｕ２１を形成しており、挿入器は、挿入ヘッドを配置するために、下面Ｕ２１によって組織面上に配置することができ且つ好ましくは配置される。図１１において挿入ヘッドが呈している初期位置においては、挿入器の下面Ｕ２１及び保持された挿入ヘッドの下面Ｕは、各々、前進方向Ｖを向いており、少なくとも実質的にこれら２つの下面のための垂直面を形成している。
【００５３】
作動部材２１は、外側スリーブ部分及び内側スリーブ部分を備えており、これらは、下面Ｕ２１上で相互に結合されており且つ相互間に自由な環状ギャップを形成している。挿入器ケース２０は、前記環状ギャップ内へと突出しており且つ作動部材２１を摺動動作させるようにガイドしている。
【００５４】
図１１に示されている状態においては、作動部材２１は挿入器ケース２０に対して後退した位置を呈しており、挿入器は、前進方向Ｖで測定して、その最も短い長さを呈している。挿入器のこの状態においては、挿入ヘッドは挿入されており、すなわち、挿入器の保持手段と保持係合状態とされている。挿入ヘッドの挿入の代わりに、挿入器はまた、支持部材の上に横たわる挿入ヘッドの上に配置することもできる。保持手段の位置及び幾何学的構造は、挿入器が挿入ヘッド上に配置されたときに保持係合が自動的に形成されるように選択される。例えば挿入ヘッドが挿入されることによって収容された直後に、挿入ヘッドの挿入手段５は、その保護位置に配置される。この意味で、挿入ヘッドは依然として不作動状態である。挿入器は、作動せしめられたときに挿入手段を挿入位置へと動かし且つ挿入ヘッドを作動させることができる手段すなわち作動部材２１と嵌合される。
【００５５】
挿入ヘッドを作動させるためには、作動部材２１と挿入ヘッドとは、協働して継手（例示的な実施形態においてはカム継手）を形成する。継手の２つの継手部材はガイドカム２１ａであり、当該ガイドカム２１ａは、作動部材２１と、可動のハンドル構成部材１２によって形成されている係合部材１２ａとを形成している。カップリング（当該カップリングを介して作動部材２１は挿入手段５に作用する）においては、可動のハンドル構成部材１２は、挿入ヘッドの入力部材及び／又は収容部材を形成している。作動部材２１が挿入器ケース２０に対して前進方向Ｖに動かされると、ガイドカム２１は、係合部材１２ａ上、すなわち、収容部材の接触領域すなわち可動のハンドル部材１２の上の係合部材１２ａを形成している部分上を摺動する。加圧接触部材及び前進方向Ｖに関して傾斜せしめられているガイドカム２１ａの輪郭により、ハンドル構成部材１２は付加的なハンドル構成部材１０に向かって前進方向Ｖを横切る方向に動かされ、挿入手段５は、挿入ヘッド自体に関して説明したように、挿入位置へと枢動する。可動のハンドル構成部材１２は、基部１，２と反対側を向いている上方端部に（例示的な実施形態においては、その外方端縁によって、）係合部材１２ａを形成している。傾斜は、ガイドカム２１ａが、下面Ｕ２１と反対側の端部から、前進方向Ｖに向かって挿入ヘッド及び／又は挿入手段５から離れる方向へと形成され、これによって、作動せしめられると、挿入ヘッド及び／又は挿入手段が外方へ枢動せしめられるようにら選択される。傾斜角度は、終始一定であり、ガイドカム２１ａは斜面すなわち斜めの線又は領域である。
【００５６】
実際的な操作のためには、ユーザーは、例えば、作動部材２１を把持することによって、挿入ヘッドが収容された後に片方の手で作動部材２１によって挿入器を保持し且つもう一方の手で挿入器ケース２０を保持された作動部材２１に対して前進方向Ｖと反対の方向に引っ張ることが適切である。これはまた、作動部材を作動させることを意味していると理解することもできる。前進部材２２及び力発生器２３は、挿入器ケース２０と一緒に作動部材２１に対して動かされる。保持手段によって初期位置に保持されている挿入ヘッドは連動連結されている。すなわち、当該挿入ヘッドは、同様に、作動部材２１に対して、前進方向Ｖと反対方向に動かされる。係合部材１２ａはガイドカム２１ａに沿って摺動する。純粋な加圧接触に基づくこの干渉によって、可動のハンドル構成部材１２は前進方向Ｖを横切る方向に動かされ、挿入手段５は挿入位置へと枢動する。挿入ヘッドは、挿入器ケース２０と作動部材２１とが相対的に実施する伸長動作の終了時に作動せしめられる。
【００５７】
図１２は、挿入器及び挿入ヘッドを作動状態で示している。挿入器ケース２０及び作動部材２１は、相対的に伸長せしめられた位置を呈している。この伸長状態においては、挿入器ケース２０の壁及び作動部材２１の壁は、挿入手段５の自由端まで及び自由端を越える位置まで作動せしめられた挿入ヘッドを包囲しており、注射手段１５すなわち注射手段１５の先端は、挿入器の下面Ｕ２１に若干届かない状態である。
【００５８】
伸長位置においては、挿入器ケース２０及び作動部材２１は相対的に遮断されている。この遮断状態においては、前進方向Ｖ又はその反対方向の相対的な移動は不可能である。伸長位置に到達すると、挿入器ケース２０及び作動部材２１は、自動的に互いに遮断される。
【００５９】
挿入ヘッドを配置するためには、ユーザーは、挿入器を皮膚上に配置する。挿入器が配置されると、ユーザーはトリガー部材２８を押す。トリガー部材２８は、カム結合（例示的な実施形態においては、簡単な傾斜面の対である）によって遮断部材２９に作用する。トリガー部材２８の作用により、遮断部材２９は、挿入器ケース２０との係合状態から動かされ、その結果、前進部材２２は、力発生器２３の作用によって、前進方向Ｖに動かすことができる。力発生器２３は、前進部材２２を突然に加速する。前進部材２２は、ハンマーのように挿入ヘッドに作用する。前進動作の第一の部分において、保持ばねが、挿入ヘッドの保持構造との保持係合状態から跳ね出す。すなわち、保持係合が解除される。前進部材２２の前進方向Ｖへの加速は、前進部材２２と挿入ヘッドとの間の純粋な加圧接触が挿入ヘッドの下面Ｕが挿入器の下面Ｕ２１と同じ高さとなり、従って、組織の表面に配置されるまで、確実に維持されるのに十分な大きさである。挿入手段１５は、既に予め皮膚の表面を通り且つ組織内へ貫入しており、この状態で挿入手段５を連動連結させている。
【００６０】
挿入ヘッドが皮膚の表面上に配置された後に、ユーザーは、ハンドル１０，１２を把持し且つそれを基部１，２から引き出す。このとき、注射手段１５は、挿入手段５から自動的に引き出され且つ基部１，２から分離される。
【００６１】
注射手段１５が自動的に引き出されるためには、挿入器の保持手段と挿入ヘッドの保持構造との間の保持係合は、挿入器にとって有利な変形形態に維持され且つ既に記載した例示的な実施形態におけるように前進部材２２の加速によって解除されない。このような変形例においては、保持手段は、特に、前進部材２２に対して固定結合しいて、前進方向Ｖへの解放動作において連動連結されるようにすることができる。保持係合を解除するためには、挿入器を偏向器と嵌合させることができる。当該偏向器は、挿入器が組織から取り外された後に及び挿入器ケース２０及び作動部材２１が一緒に有働せしめられたときに、挿入ヘッドを保持係合状態から自動的に解除する。別の方法として、このような偏向器はまた、作動部材２１とは完全に独立して設けることができ且つ保持係合を解除させるために別個に作動させることができる。
【００６２】
図１３乃至１５は、挿入ヘッドと挿入器とからなる第二の例示的な実施形態の装置を示している。挿入ヘッドは図７〜１０に示された挿入ヘッドであるが、第一の例示的な実施形態におけるものと同じ挿入ヘッドとすることもできる。挿入器のみが改造されている。機能に関して第一の例示的な実施形態の挿入器の構成部材に匹敵する第二の例示的な実施形態の挿入器の構成部材は、各々、第一の例示的な実施形態の参照符号によって標識され且つ番号を“１０”だけ足されている。従って、第一の例示的な実施形態に関してなされた説明が特にその形状及び係合及び相対的な動作に関する限り、挿入器ケース３０及び作動部材３１にも当てはまる。原理的には、前進部材３２、保持手段及び力発生器３３に関して及びトリガー部材３８及び遮断部材３９に対しても同じことが当てはまる。以下においては、相違点に対して言及されておらず且つ図面において対照的なものは何も示されておらず、第一の例示的な実施形態に関する説明は第二の例示的な実施形態に対しても同様に当てはまる。
【００６３】
第二の例示的な実施形態の挿入器は、作動部材３１に対する挿入器ケース３８の上方への引き抜き動作によって作動させるために作動部材３１が挿入ヘッドに作用する際に介在する継手において、第一の例示的な実施形態の挿入器と実質的に異なっている。第二の例示的な実施形態においては、挿入器自体が継手すなわち２つの継手部材３１ａ及び４１ａを形成しており、当該継手の一方が作動部材３１を形成しており、他方が作動部材４１を形成している。作動部材４１は、前進方向Ｖを横切る方向（当該例示的な実施形態においては、前進方向Ｖに対して直角方向）に前後に動くことができように挿入器ケース３０によって取り付けられている。継手３１ａ，４１ａは同じくカム継手である。ガイドカム３１ａは、第一の例示的な実施形態のガイドカム２１ａに対応している。作動部材４１は係合部材４１ａを形成している。係合部材４１ａは、挿入器が引き伸ばされたときにガイドカム３１ａに沿って摺動し、ガイドカム３１ａの傾斜が付けられた外径によって、挿入器が上方へ引かれたときに挿入器の中心長手軸線に向かう作動部材４１の横方向の動きを生じさせる。従って、前進方向Ｖと反対の方向の動き（作動部材３１が上方へ引かれたときに挿入器ケース３０が作動部材３１に対して行う動作）は、継手３１ａ，４１ａにおいて、作動部材４１の横方向の動きに変えられる。この継手部材又は結合部材４１ａは、それ自体がガイドカムのように形成されているが、ここでは、伝動の点から、係合部材と称されている。係合部材４１は、代替的には、例えば、簡単なカム又は節として形成することもできる。係合部材４１ａは、同様にガイドカムと称することができ、別の変形例においては、継手部材３１ａは、突出カム又は節として形成することができる。
【００６４】
挿入器が挿入ヘッドを作動させるときに介在する境界部は、同じく純粋に加圧接触として形成され且つ作動部材４１と収容部材又は挿入ヘッドの可動のハンドル構成部材１２との間に存在する。この純粋な（“緩い”と言うこともできる）加圧接触は、操作を簡素化する。なぜならば、特に挿入ヘッドを作動させるために継手結合が達成される必要はないからであり、例示的な実施形態において上方へ引っ張る動作によって行われる作動部材３１の作動と組み合わせて挿入ヘッドを収容するで十分である。この加圧接触すなわち作動部材４１によってかけられる加圧力が、基部１，２に対する移動方向に平行に可動のハンドル構成部材１２に作用する。作動部材４１を介在させ且つ継手３１ａ，４１ａを完全に挿入器へと動かすことによって、第二の例示的な実施形態においては、ハンドル構成部材１２の動作方向を横切る方向の力がハンドル構成部材１２にかからないので有利である。
【００６５】
図１４は、挿入ヘッドが作動せしめられ状態の装置を示している。挿入器ケース３０の引き上げ動作（これはまた、作動部材３１を作動させることを意味しているとも理解される）中に、挿入手段５と注射手段１５とは、挿入位置へと枢動され、その結果、それらの共通の長手軸線は前進方向Ｖを向く。可動のハンドル構成部材１２は、挿入ヘッドに対して説明したように、ハンドル１０，１２との間の結合を解除している。しかしながら、挿入手段５と注射手段１５との間の摩擦嵌合によって、第一の例示的な実施形態におけるように、ハンドル１０，１２上の基部１，２が保持係合状態に保持される。
【００６６】
遮断係合（遮断部材３９が依然として挿入器ケース３０又は挿入器ケース３０に固定結合されている構造と共に配置されている状態）は、トリガー部材３８を作動させることによって解除され、力発生器３３は、前進部材３２を前進方向Ｖへ加速する。当該加速は同じく第二の例示的な実施形態の駆動手段３２，３３がハンマーのように作用するように急激なものである。駆動力は２つの脚状ばねによって発生され、これら２つの脚状ばねの各々が脚部の２つの対のうちの一方に作用する。固定された回転継手３５内で締結されている脚部２４は、脚部の２つの対の同期した伸長動作を確保する歯による係合によって相互に結合されている。
【００６７】
別の用途のために挿入器を準備することができるようにするために、挿入ヘッドが配置された後に、作動部材４１は、図１に示されている端部位置から図１３に示されている端部位置まで再び戻されなければならない。この戻り動作のために、作動部材３１及び作動部材４１は、例示的な実施形態においてはカム継手でもある付加的な継手３１ｂ，４１ｂを形成している。作動部材３１は、当該付加的な継手のためのガイドカム３１ｂを形成しており、作動部材４１は係合部材４１ｂを形成している。ガイドカム３１ｂは、ガイドカム３１ａに少なくともほぼ平行に延びている。ガイドカム３１ａ及び３１ｂは、作動部材３１の内側スリーブ部分上に形成されており、ガイドカム３１ａは内側領域上に形成されており、ガイドカム３１ｂは内側スリーブ部分の外側領域上に形成されている。これらのガイドカムは、前進方向Ｖに関して大まかに同じ高さで相互に対向している。係合部材４１ｂはまた、障害のない距離で係合部材４１ａに対向していて、前進部材３１の内側スリーブ部分が２つの係合部材４１ａと４１ｂとの間で後退したり伸長したりすることができる。
【００６８】
図１５は、挿入ヘッドが配置されている本発明の第二の例示的な実施形態の装置を示している。挿入器は挿入ヘッドから取り外されている。ユーザーは、次いで、ハンドル１０，１２を基部１，２から引き離し、挿入ヘッドを注入ポンプのカテーテルに結合する。一つの変形例（これもまた第一の例示的な実施形態に関して既に述べた）においては、保持手段は、前進部材３２に固定結合されており、従って、まだハンドル１０，１２を保持することができ、挿入器は、保持されているハンドル１０，１２と共に基部から取り外されている。次いで、保持係合は、好ましくは付加的な偏向器によって解除され、ハンドル１０，１２は、注射手段１０と共に又は単にそれだけで廃棄される。
【００６９】
別の挿入ヘッドと共に使用できるように挿入器を準備するためには、ユーザーは、挿入器ケース３０及び作動部材３１を一緒に、図１３に示されているように、挿入ヘッドが後退せしめられた状態で後退位置へと戻す。後退動作中に、作動部材３１の内側スリーブ部材は、作動部材４１の係合部材４１ａと４１ｂとの間を移動する。この後退動作中に、ガイドカム３１ｂと係合部材４１ｂとの間に付加的な継手結合が形成される。後退動作中に、作動部材４１は、継手３１ｂ，４１ｂ内で再び図１３において呈した端部位置へと、すなわち、挿入器の長手中心軸線に対して横切る方向好ましくは径方向外方へ戻される。
【００７０】
ばね手段３３の前進方向Ｖへの作用により伸長される前進部材３２は、内側スリーブ部分の作動部材３１の下面Ｕ３１と反対の方向を向いている端面に対向している。前進部材３２の前進動作は、この端面に対する当接によって停止せしめられている。作動部材３１は、入れ子構造３０，３１が伸長位置にあるときに、挿入ヘッドの下面Ｕが下面Ｕ３１の高さに達したそのときに前進部材３２を停止させ、従って、挿入器が皮膚上に配置されたときにちょうど皮膚面と接触するような幾何学的寸法とされている。作動部材３１に対する挿入器ケース３０の後退動作又は挿入器ケース３０に対する作動部材３１の後退動作中に、前進部材３２は、作動部材３１による当接によって、遮断部材３９が例えば図１３及び１４に示されているように遮断係合状態となるまで、力発生器３３の力に抗して挿入器ケース３０内へより深く押し込まれる。
【００７１】
図１６は、本発明による挿入ヘッドの別の実施形態を示している。当該挿入ヘッドは、第一のハンドル構成部材１０内へ移動させることができる可動のハンドル構成部材１２を備えている。第二のハンドル構成部材１２を第一のハンドル構成部材１０内へと移動させることによって、カニューレケース１７ｂが継手６を中心に枢動せしめられる。この場合、カニューレケース１７ｂは、依然として挿入手段５及び注射手段１５を保護位置内に支持している。第二のハンドル構成部材１２が作動せしめられる際に、リンクガイド４２内のリンクブロック４４は、継手部材６に向かってほぼ下方へ移動せしめられ、これによって、保持構造１７のための回転又は枢動動作、従って、挿入手段及び挿入針の回転又は枢動動作を生じさせる。リンクブロック又は砲耳４４がリンクガイド４２のカム領域へ入るとすぐに、保護位置から挿入位置への枢動動作が完了する。基部をハンドル１０，１２に可逆的に結合するために、第一のハンドル構成部材１０はまた、基部１上の対応部分４９と係合している結合手段１６ｂと嵌合されている。リンクブロックはもちろん異なる位置を呈することもできる。
【００７２】
従って、リンクブロック４４を更に下方に配置することもでき、次いで、部分１７ａ，１７ｂが枢動せしめられたときに実質的に上方へ移動させることもできる。リンクガイド及びリンクブロックのための種々の構造がここでは可能である。
【００７３】
図１７においては、第二のハンドル構成部材１２は、第一のハンドル構成部材１０内へ押し込まれており、当該第二のハンドル構成部材１２内への第一のハンドル構成部材１０の挿入動作によって、挿入手段５が注射手段１５と共に受け入れ部１４（図１９参照）から挿入位置へ枢動せしめられる。従って、図１６によるこの実施形態は、ハンドル構成部材と枢動可能な挿入手段との間の結合を提供し、これは上記した実施形態に対する代替的な結合である。
【００７４】
図１８は、ハンドル構成部材１２及び１０からなるハンドルを基部１から分離する方法を示している。基部１は、ハンドル１０，１２上の結合手段１６ｂが係合するキャビティ４９を備えており（図１６及び１７参照）、図１８においては、この係合が解除されていて、ハンドル１０，１２は基部１から引き出すことができる。
【００７５】
図１９は、図１８によるハンドル１０，１２を示している。この場合には、可動のハンドル構成部材１２は、付加的なハンドル構成部材１０から引き出されており、その結果、リンクガイド４２内のリンクブロック又は砲耳４４は、ほぼ上方へガイドされ、それによって、カニューレケース１７ｂ及び針ホルダ１７ａがこれに固定されている注射手段１５と共に再び受け入れ部１４又はそれに近接した係止位置内へ枢動せしめられている。スプリングステイ１６ａの端部に配置されている結合手段１６ｂは、もはや基部１に対する結合を保持している必要はないので、何の機能も備えていない。
【００７６】
図２０は、適用前及び／又は在庫中の状態における本発明による別の実施形態による挿入ヘッドを示している。注射手段１５が内部に部分的に収容されている状態の挿入手段５が受け入れ部１４内の保護位置に配置されている。膏剤１３の接着箇所を活性状態に保持するために、フラップ１３又は膏剤１３の下面に保護膜が適用されている。図２０に従って、注射手段１５が挿入されたり取り外されたりするのを可能にすることを意図されている隔膜５８もまた設けられていて、挿入手段５がシールされるのを確保することが意図されている。注射手段１５に対して直角に結合されている結合部分にはまた、相応して、供給導管又は対流放熱器に対するシール結合を可能にすることを意図された隔膜５６が設けられている（図２８参照）。
【００７７】
カニューレケース１７ｂ上に配置され且つ注射手段１５を保持している針ホルダ１７ａ上においては、図２０ａの詳細図によって示されているように、基部１から離れる方向を向いている側に固定構造４６が設けられている。図示された状態においては、係合部材４８が固定構造４６と係合状態にあり、第二のハンドル構成部材１２が偶然に第一のハンドル構成部材１０内に挿入されるに抗するように作用する抵抗を提供する。この実施形態による本発明の挿入ヘッドのオペレータは、まず最初に、係合部材４８と固定構造４６との間の係合に打ち勝つ高い力をかけて、挿入手段５を注射手段１５と共に、図２０に示されている受け入れ部１４の保護位置から、図２１に示されている適用位置へと枢動させるプロセスを行わなければならない。
【００７８】
部材５２，５４に対応するラッチ手段を使用して固定構造４６を実現することも可能であり、これは、例えば、第一のハンドル構成部材１０と第二のハンドル構成部材１２とに設けることができ、一方を他方内へ移動させることによってラッチを解除することができる。
【００７９】
図２１において患者の組織内に注射される挿入手段５と注射手段１５とは、図２２に従って分解される。すなわち、注射手段又は注射針１５は挿入手段５から引き出される。隔膜５８が閉じられ、挿入手段５は薬剤を患者の体内へ挿入する準備状態となる。
【００８０】
図２３は、カニューレケース１７ｂが保護位置に割り当てられた位置へと再び枢動によって戻されるように第二のハンドル構成部材１２が第一のハンドル構成部材１０から引き戻される方法を示している。注射手段１５は、元の保護位置を経由して保護位置の上方の位置すなわち以下に示されるラッチカラー６０の上方の位置へと動かすことができる。この位置においては、注射手段１５は、拡大図Ｃにおいて見ることができるように、係合部材４８との係合状態へと通過する針ホルダ１７ａの端部に設けられたラッチカラー６０によって固定されている。この位置では、汚染された注射手段１５を再びハンドル１０，１２から偏向させることはもはや不可能である。なぜならば、ラッチカラー６０と組み合わせられた係合部材４８によって係止作用が提供されるからである。注射手段１５は、係止位置においてはラッチカラーの後方に保持される。図２３ａは、図２３における断面Ｄ−Ｄを再現しており、使用済みの又は汚染された注射手段１５を固定カラー５０ａの後方の固定されたリンク部分内へ移動させる機能を果たしている固定リンク５０を示している。未使用の滅菌された注射手段は、使用前に、逆に、固定カラー５０ａの前方の異なる位置に保持することができる。
【００８１】
図２３ａによる断面図はまた、第二のハンドル構成部材が第一のハンドル構成部材１０内でガイドされるのを可能にしているガイド６２をも示している。注射手段１５が受け入れ部内の不作動位置へと枢動によって戻されると、固定リンク５０を介して動かされて可撓的に変形し、固定カラー５０ａの後方の固定リンク５０の上方領域内に解放され、図２３ａに示されている位置へ跳ね返って図示された位置に停留し、そこで遮断される。
【００８２】
図２４〜２８は、本発明による挿入ヘッドの適用の種々の段階を示している。図２４は、第一のハンドル構成部材１０から突出している位置での第二のハンドル構成部材１２を示しており、当該位置においては、挿入手段５が挿入針１５と共にそれらの保護位置にある。図２５の図においては、第二のハンドル構成部材１２は、第一のハンドル構成部材１０内へと動かされており、その結果、図２６に示されているように、挿入手段は注射手段と共に患者の体内へ注射することができる。次いで、図２６は、挿入手段が注射手段１５と共に患者の体内へ注射された状態を示しており、この状態では、注射手段１５は、もはや機能を有しておらず且つ挿入手段から引き出すことができ、すなわち、基部１とハンドル１０，１２とは相互に分離させることができる。
【００８３】
図２７においては、第二のハンドル構成部材１２は第一のハンドル構成部材１０から引き出されており、注射手段１５は保護位置内へと移動せしめられている。
図２８においては、次いで、薬剤例えばインスリンを供給するために、供給導管を備えているコネクタ６４を基部と結合させることができる。
【００８４】
図２９は、リンクガイド４２が長さａの第一の部分４２ａを有していることを示している。この経路ａは、可動のハンドル構成部材１２を作動させ又は前進させることによって、カニューレケース１７ｂを枢動させ、それと共に、挿入手段５を注射手段１５と一緒に図示されているように右方向へ枢動させる機能を果たし、その結果、リンクブロック４４が継手部材６に向かってほぼ下方へ動かされ、一方、挿入手段５は、保護位置から適用位置又は挿入位置へ移動される。第二の経路ｂ上にギャップを形成し、結合手段１６ｂを係合キャビティ４９から偏向させることができるようにラッチ解除を可能にするために、リンクガイド４２の第二の部分４２ｂが設けられている。
【００８５】
これに応じて、図２９による図に対してリンクブロック４４がリンクガイド４２の他端に到達している図３０においては、挿入手段５が注射手段１５と共に、その適用位置にあるばかりでなく、ハンドル１０，１２もまた、基部１から既にラッチ解除されており且つ引き出すことができ、この状態では、注射手段１５は挿入手段５から引き出されている。
【００８６】
特に図３２において再現されている断面Ｅ−Ｅによって示されているように、図３１による実施形態には、ラッチ解除機構が付加的に示されている。図からわかるように、第二のハンドル構成部材１２は、制御斜面を備えており、当該制御斜面は、ひとたび第二のハンドル構成部材１２が第一のハンドル構成部材１０内へ挿入されると、偏向斜面５４に対して移動して、結合部材１６を基部１上の係合キャビティ４９との係合状態から移動させる。挿入手段５を注射手段１５と共に枢動させる動きは長さａの経路４２ａに対応するけれども、制御斜面５２を偏向斜面５４に対してガイドする動作は、図２９によるリンクガイド４２の部分４２ｂに対応している。
【図面の簡単な説明】
【００８７】
【図１】図１は、挿入手段が保護位置に配置されている状態の第一の例示的な実施形態の挿入ヘッドを示している。
【図２】図２は、挿入手段が挿入位置に配置されている状態の挿入ヘッドを示している。
【図３】図３は、第一の例示的な実施形態の挿入ヘッドのハンドルを示している。
【図４】図４は、挿入手段が挿入位置に配置されている状態の第一の例示的な実施形態の挿入ヘッドの基部を示している。
【図５】図５は、図３のハンドルをある視野で示している。
【図６】図６は、図４の挿入手段を備えている基部をある視野で示している。
【図７】図７は、挿入手段が保護位置に配置されている状態の第二の例示的な実施形態の挿入ヘッドを示している。
【図８】図８は、挿入手段が挿入位置に配置されている状態の第二の例示的な実施形態の挿入ヘッドを示している。
【図９】図９は、第二の例示的な実施形態の挿入ヘッドのハンドルを示している。
【図１０】図１０は、挿入手段が挿入位置に配置されている状態の第二の例示的な実施形態の挿入ヘッドの基部を示している。
【図１１】図１１は、第一の例示的な実施形態による挿入ヘッド及び挿入器からなる装置を、作動前の状態で示している。
【図１２】図１２は、第一の例示的な実施形態による装置を、作動後の状態で示している。
【図１３】図１３は、第二の例示的な実施形態による挿入ヘッド及び挿入器からなる装置を、作動前の状態で示している。
【図１４】図１４は、第二の例示的な実施形態による装置を、作動後の状態で示している。
【図１５】図１５は、第二の例示的な実施形態による装置を、挿入ヘッドが組織の表面上に配置された後の状態で示している。
【図１６】図１６は、挿入手段が保護位置に配置された状態の挿入ヘッドを横から見た状態で示している。
【図１７】図１７は、図１６による挿入ヘッドを挿入手段が挿入位置に配置された状態で示している。
【図１８】図１８は、ハンドルが挿入針と共に、基部及び挿入手段から分離されている状態の図１６及び１７による挿入ヘッドを示している。
【図１９】図１９は、基部から取り外された状態の第一のハンドル構成部材及び第二のハンドル構成部材を、横から見た状態で示している。
【図２０】図２０は、挿入手段が保護位置に配置されている状態の挿入ヘッドを断面図で示している。
【図２０ａ】図２０ａは、図２０の詳細を同じく断面図で示している。
【図２１】図２１は、挿入手段が挿入位置に配置されている状態の図２０の挿入ヘッドを同じく断面図で示している。
【図２２】図２２は、ハンドルを注射部分と共に、患者の体表面上に配置することができる挿入手段を備えている基部から分離された状態で示している断面図である。
【図２３】図２３は、第一のハンドル構成部材及び第二のハンドル構成部材を、当該第二のハンドル構成部材が前記第一のハンドル構成部材から引き出された状態で、拡大詳細図Ｃと共に、同じく断面図で示している。
【図２３ａ】図２３ａは、図２３の断面に対して直角に配置されている図２３における断面Ｄ−Ｄを示している。
【図２４】図２４は、適用前の本発明による挿入ヘッドを斜視図で示している。
【図２５】図２５は、適用後の図２４による挿入ヘッドを示している。
【図２６】図２６は、第一のハンドル構成部材及び第二のハンドル構成部材が注射針と共に取り外された後の図２４及び２５による挿入ヘッドを示している。
【図２７】図２７は、第二のハンドル構成部材が第一のハンドル構成部材から引き出された後の第一のハンドル構成部材及び第二のハンドル構成部材を斜視図によって示している。
【図２８】図２８は、薬剤を供給するためのコネクタが結合された後の図２４乃至２７の挿入ヘッドの基部を示している。
【図２９】図２９は、挿入手段が注射針と共に保護位置に配置された状態の挿入ヘッドを、第一のハンドル構成部材が無い状態で示している。
【図３０】図３０は、挿入手段が注射針と共に適用位置にある図２９による挿入ヘッドを示している。
【図３１】図３１は、挿入手段が保護位置に配置されている状態の挿入手段を横から見た状態で示している。
【図３２】図３２は、図３１による挿入ヘッドのＥ−Ｅ断面を頂面図で示している。
【符号の説明】
【００８８】
１  基部、受け入れ部、
２  基部、平らな部分、
３  キャビティ、
４  キャビティ、
５  挿入手段、
６  継手手段、
６ａ  継手部材の対応部分、
７  供給装置、
８  歯車、
９  結合部材、
１０  第一のハンドル構成部材、
１１  第一のハンドル構成部材、
１２  第二のハンドル構成部材、収容部材、
１２ａ  継手部材、係合部材、加圧接触領域、
１３  フラップ、膏剤
１４  受け入れ部、
１５  注射手段、
１６  結合部材、
１６ａ  スプリングステイ、
１７  保持構造、
１７ａ  針ホルダ、
１７ｂ  カニューレケース、
１８  歯付きロッド、
１９  結合部材、
２０  挿入器ケース、
２１  作動部材、
２１ａ  継手部材、ガイドカム、
２２  前進部材、
２３  力発生器、
２４  脚部、
２５  回転継手、
２６  回転継手、
２７  回転継手、
２８  トリガー部材、
２９  遮断部材、
３０  挿入器ケース、
３１  作動部材、
３２  前進部材、
３３  力発生器、
３４  脚部、
３５  回転継手、
３６  回転継手、
３７  回転継手、
３８  トリガー部材、
３９  遮断部材、
４１  作動部材、
４１ａ  継手部材、係合部材、
４１ｂ  継手部材、係合部材、
４２  リンクガイド、
４２ａ  枢動ガイド部分、
４２ｂ  ラッチ解除ガイド部分、
４４  リングブロック、砲耳、
４６  固定構造、
４８  係合部材、
４９  係合キャビティ、
５０  固定リンク、
５０ａ  固定カラー、
５２  制御斜面、
５４  偏向斜面、
５６，５８  隔膜、
６０  ラッチカラー、
６２  ガイド、
６４  コネクタ、
Ｕ  下面、
Ｖ  前進方向
【図１】
2009507584.tif 000003
【図２】
2009507584.tif 000004
【図３】
2009507584.tif 000005
【図４】
2009507584.tif 000006
【図５】
2009507584.tif 000007
【図６】
2009507584.tif 000008
【図７】
2009507584.tif 000009
【図８】
2009507584.tif 000010
【図９】
2009507584.tif 000011
【図１０】
2009507584.tif 000012
【図１１】
2009507584.tif 000013
【図１２】
2009507584.tif 000014
【図１３】
2009507584.tif 000015
【図１４】
2009507584.tif 000016
【図１５】
2009507584.tif 000017
【図１６】
2009507584.tif 000018
【図１７】
2009507584.tif 000019
【図１８】
2009507584.tif 000020
【図１９】
2009507584.tif 000021
【図２０】
2009507584.tif 000022
【図２０ａ】
2009507584.tif 000023
【図２１】
2009507584.tif 000024
【図２２】
2009507584.tif 000025
【図２３】
2009507584.tif 000026
【図２３ａ】
2009507584.tif 000027
【図２４】
2009507584.tif 000028
【図２５】
2009507584.tif 000029
【図２６】
2009507584.tif 000030
【図２７】
2009507584.tif 000031
【図２８】
2009507584.tif 000032
【図２９】
2009507584.tif 000033
【図３０】
2009507584.tif 000034
【図３１】
2009507584.tif 000035
【図３２】
2009507584.tif 000036
【国際調査報告】
2009507584.tif 000037
2009507584.tif 000038
2009507584.tif 000039
2009507584.tif 000040
2009507584.tif 000041
2009507584.tif 000042